(57)【要約】【課題】  電圧検出回路が非常に多くの電圧検出値を持っているので、マイクロコンピュータはその検出のたびに動作することになり、マイクロコンピュータでの消費電力が増加していた。【解決手段】  比較ランク設定回路７０２は切り替え信号ＳＬ３が出力されると比較許可信号ＨＥＮを出力しないので、比較器（２）７０４からはホルトリリースセット信号ＳＥＴが出力されず、それによりリリース回路７７からはリリース信号ＨＲは出力されない。  つまり、過充電検出電圧Ｖ３を検出したとしても、動作する必要のないマイクロコンピュータ２を停止したままの状態に制御できる。【選択図】  図２
2009236547.tif 000002
【特許請求の範囲】
【請求項１】
マイクロコンピュータと、所定の動作を実行するとともに、実行した結果に基づいて、前記マイクロコンピュータでの演算処理を実行させるための処理要求信号を出力する少なくとも１つの検出部と、該検出部から出力される前記処理要求信号のうち、前記マイクロコンピュータでの演算処理を実行させるための前記処理要求信号として有効にするか否かを設定するための処理要求信号設定部とを有することを特徴とする電子時計。
【請求項２】
前記検出部を間欠的に動作を実行させるための動作命令信号を出力する計時手段を有し、該計時手段は、前記マイクロコンピュータを介して間欠時間が設定されることを特徴とする請求項１記載の電子時計。
【請求項３】
前記マイクロコンピュータには動作を停止するＨＡＬＴ機能を有しており、前記処理要求信号は、前記マイクロコンピュータがＨＡＬＴ機能が動作状態にある場合に停止状態を解除する解除信号、または割込要求信号であることを特徴とする請求項１又は２記載の電子時計。
【請求項４】
前記検出部は、電子時計の電源部の電圧を検出する電源電圧検出手段から構成されていることを特徴とする請求項１から３のいずれか１つに記載の電子時計。
【発明の詳細な説明】
【技術分野】
【０００１】
本発明は、マイクロコンピュータから構成された電子時計において、マイクロコンピュータの動作を最小限にして、電子時計全体を低消費電力状態で動作させる技術に関する。
【背景技術】
【０００２】
近来の電子時計においても多機能化が進み、制御回路としてマイクロコンピュータを使用したものが多数現れている。時計に於いて使用するマイクロコンピュータは、小型電池を使用する電子時計の低消費電力を勘案し、ローパワーマイクロコンピュータが使用されている（例えば、特許文献１参照）。
【０００３】
ローパワーマイクロコンピュータは、低消費電力を達成するために、様々な工夫がされている。その１つが、マイクロコンピュータの動作を停止するＨＡＬＴ機能とそれを解除するＨＡＬＴリリース機能である。マイクロコンピュータは動作時の消電が非常に大きい為、動作不要なときは出来る限りＨＡＬＴ状態を維持するように制御されている。
【０００４】
例えば特許文献１に記載した電池電圧検出動作がある。電池電圧検出回路は、マイクロコンピュータとは別の回路から出力される計時信号に基づき一定間隔で電池電圧検出を実行する。このとき、マイクロコンピュータは、電池電圧検出回路に対して動作が必要ないため、ＨＡＬＴ状態となっている。
【０００５】
更に、電池電圧検出回路は、過去の電池電圧検出結果と現在の結果を比較する機能を有しており、比較した結果、過去と現在の状態が異なった場合には、つまり電池電圧に変化を生じた場合には、電池電圧検出回路からマイクロコンピュータにＨＡＬＴリリース信号を発生し、マイクロコンピュータによって電池電圧の変化に伴う各種制御動作を実行するようにしている。このように、従来の電子時計では、電池電圧検出回路において検出比較した結果、過去と現在の電圧状態が異なった場合にだけマイクロコンピュータを動作させるので、マイクロコンピュータが常時動作することがなく、電子時計の消費電力の削減が出来る。
【特許文献１】特開２００５−１４７７２７号公報（段落００８３〜００８５、図２、図４、図９）
【発明の開示】
【発明が解決しようとする課題】
【０００６】
しかしながら、従来における電子時計には次のような問題を持っていた。マイクロコンピュータ周辺部には、あらゆるシステムが想定でき、それぞれが動作電圧等の電圧情報が必要である。例えば太陽電池からの電力を蓄電部に蓄えて、指針によって時刻を表示するアナログ電子時計に於いて、指針を駆動するためのモータは、蓄電部の電圧に応じた適正な駆動力を有するモータパルスが必要なため、蓄電部の電圧を複数の検出電圧値で検出し、その情報に基いてマイクロコンピュータが適正なモータパルスを演算し、モータ駆動回路に対して適正な制御信号を出力する必要がある。
【０００７】
マイクロコンピュータを用いた電子時計の回路システムは、いろいろな仕様の時計にあわせてプログラムを変更して使用されるため、あらゆる仕様をカバーできるようにシステム設計がされている。特に、モータや蓄電部は機種ごとにその特性に違いがあるため、多種多様な電子時計の複数の仕様に合わせて回路システムを共用できるようにするには、電圧検出回路が非常に多くの電圧検出値を用意しなければならない。
【０００８】
前述の特許文献１に記載されたシステムのように、電圧検出回路は過去の電池電圧検出結果と現在の結果を比較し、電池電圧に変化を生じた場合には、マイクロコンピュータにＨＡＬＴリリース信号を発生し、マイクロコンピュータによって電池電圧の変化に伴う各種制御動作を実行するように動作を促し、所定の演算動作を実行させているが、上記のごとく、電圧検出回路が非常に多くの電圧検出値を持っているので、マイクロコンピュータはその検出のたびに動作することになる。
【０００９】
しかし、仕様の異なる電子時計によっては、必ずしもすべての電圧検出値を必要とするものでないので、マイクロコンピュータが頻繁にＨＡＬＴリリースされてしまうと、充分に節電できないという問題があった。
【００１０】
本発明はこのような問題を解決し、電子時計全体を低消費電力状態で動作させることができる技術を提供することである。
【課題を解決するための手段】
【００１１】
以上の課題を解決するために、本発明の電子時計は以下の構成を有する。
【００１２】
マイクロコンピュータと、所定の動作を実行するとともに、実行した結果に基づいて、前記マイクロコンピュータでの演算処理を実行させるための処理要求信号を出力する少なくとも１つの検出部と、該検出部から出力される前記処理要求信号のうち、前記マイクロコンピュータでの演算処理を実行させるための前記処理要求信号として有効にするか否かを設定するための処理要求信号設定部とを有することを特徴とする。
【００１３】
また、前記検出部を間欠的に動作を実行させるための動作命令信号を出力する計時手段を有し、該計時手段は、前記マイクロコンピュータを介して間欠時間が設定されることを特徴とする。
【００１４】
また、前記マイクロコンピュータには動作を停止するＨＡＬＴ機能を有しており、前記処理要求信号は、前記マイクロコンピュータがＨＡＬＴ機能が動作状態にある場合に停止状態を解除する解除信号、または割込要求信号であることを特徴とする。
【００１５】
また、前記検出部は、電子時計の電源部の電圧を検出する電源電圧検出手段から構成されていることを特徴とする。
【発明の効果】
【００１６】
この発明を実施する事により、マイクロコンピュータは、必要なときのみホルトリリースされる為、無駄な消費電流が削減できる。
【発明を実施するための最良の形態】
【００１７】
本発明の理解を助けるために、最初に比較例を説明する。図１はローパワーマイクロコンピュータを使用した電子時計の回路構成であり、この基本構成は比較例も本発明も同じとなる。図１において、１は水晶発振器であり、発振信号ＣＫを出力する。２はマイクロコンピュータであり、周辺回路とのアクセスに使用する為のアドレスバス（Ａ＿ＢＵＳ）、データバス（Ｄ＿ＢＵＳ）と、ホルトリリース端子ＨＲ＿Ｍを有する。３は分周回路であり、分周信号群ＳＧを出力する。４は太陽電池であり、外部光により発電電圧ＨＤを発生する。５は充電制御回路であり、発電電圧ＨＤを入力し、後述する蓄電部６に充電電流ＩＤを供給する。６は充電可能な２次電池から構成されている蓄電部である。７は電圧検出回路群であり、蓄電部２の蓄電電圧ＶＢＴを端子ＶＫに入力し、充電禁止信号ＯＤを出力したり、端子ＨＲ＿Ｓから処理要求信号となるホルトリリース信号ＨＲを発生する。８はＬＣＤ制御回路であり、マイクロコンピュータ２のアドレスバス（Ａ＿ＢＵＳ）、デー
タバス（Ｄ＿ＢＵＳ）からの命令により、表示データＤ＿ＤＡＴＡを出力する。９はＬＣＤ表示部であり、表示データＤ＿ＤＡＴＡに基づいて所望の情報を表示する。
【００１８】
次に、比較例の電圧検出回路群を図４に基づいて説明する。図４は電圧検出回路群７の詳細な構成図である。図において、７１はコンパレータであり、“＋”端子には入力電圧ＶＩＮ、“−”端子には、基準電位ＶＲＥＦが入力し、電圧比較結果ＣＭＰを出力する。７２は定電圧回路であり、基準電位ＶＲＥＦを出力する。７３は切り替え制御回路であり、マイクロコンピュータ２のアドレスバス（Ａ＿ＢＵＳ）、データバス（Ｄ＿ＢＵＳ）と、分周信号群ＳＧの内の１Ｈｚ信号が入力し、切り替え信号ＳＬ１、ＳＬ２、ＳＬ３を出力する。７４は結果収納回路であり、切り替え信号ＳＬ１、ＳＬ２、ＳＬ３と電圧比較結果ＣＭＰに基づいて、終了信号ＥＮＤと充電禁止信号ＯＤと結果データＳＤを出力する。７５は前回結果収納回路であり、結果収納回路７４の結果データＳＤを入力し、前回結果データＫＤを出力する。７６は比較器であり、結果データＳＤと、前回結果データＫＤを入力し、データ比較結果ＰＳＥＴを出力する。７７はリリース回路であり、データ比較結果ＰＳＥＴとマイクロコンピュータ２のアドレスバス（Ａ＿ＢＵＳ）とデータバス（Ｄ＿ＢＵＳ）が入力し、ホルトリリース信号ＨＲを出力する。
【００１９】
図４において、Ｒ０、Ｒ１、Ｒ２、Ｒ３は抵抗であり、ＴＲ１、ＴＲ２、ＴＲ３はＮチャンネルトランジスタである（以降は、ＮチャンネルトランジスタをＮチャンと記述する）。抵抗Ｒ０は、一方をグランドであるＶＤＤに接続され、他方は抵抗Ｒ１の一方とコンパレータ７１の“＋”端子に接続されている。抵抗Ｒ１の他方は、抵抗Ｒ２の一方とＮチャンＴＲ１のドレインに接続されている。抵抗Ｒ２の他方は、抵抗３の一方とＮチャンＴＲ２のドレインに接続されている。抵抗３の他方は、ＮチャンＴＲ３のドレインに接続されている。ＮチャンＴＲ１、ＮチャンＴＲ２、ＮチャンＴＲ３のソースは共通であり、蓄電電圧ＶＢＴが接続されている。更に、ＮチャンＴＲ１のゲートには、切り替え制御回路７３の切り替え信号ＳＬ１が入力されている。ＮチャンＴＲ２のゲートには、切り替え制御回路７３の切り替え信号ＳＬ２が入力されている。ＮチャンＴＲ３のゲートには、切り替え制御回路７３の切り替え信号ＳＬ３が入力されている。
【００２０】
次に比較例の動作説明に入る前に、図５に基づいて、蓄電部６の電圧変化とマイクロコンピュータ２の動作との関係を簡単に説明する。図５は蓄電部６の電圧遷移とマイクロコンピュータ２の動作との関係を説明する説明図であり、曲線は、蓄電部６の電圧遷移状態を示している。図５において、充電領域とは太陽電池４の発電に基づいて、蓄電部６が充電されて電圧が上昇した状態を示している。過充電領域とは、蓄電部６の電圧が過充電状態となったため、充電を強制的に停止し、電圧がそれ以上がらない状態を示している。非充電領域とは、太陽電池４の発電がないため、蓄電部６の電圧が降下している状態を示している。縦軸は蓄電部６の電圧を示しており、電圧Ｖ３は過充電検出電圧、Ｖ２は容量不足警告電圧、Ｖ１は電子時計の動作停止電圧である。横軸は時間軸であり、Ｔ１は過充電検出電圧Ｖ３より電圧が高いことを検出したときであり、Ｔ２は、過充電検出電圧Ｖ３より電圧が低いことを検出したときであり、Ｔ３は容量不足警告電圧Ｖ２より電圧が低いことを検出したときであり、Ｔ４は動作停止電圧Ｖ１より電圧が低いことを検出したときである。又、本図の下には蓄電部６の蓄電電圧ＶＢＴの電圧検出タイミングを示す様子と共に、Ｔ１からＴ４のタイミングではマイクロコンピュータ２のホルトリリースＨＲ＿Ｓがどのように発生しているかを示したものである。
【００２１】
図６はＬＣＤ表示部９の表示状態を示したものであり、９１は通常表示状態、９２は充電警告表示状態、９３は電圧低下により消灯した状態をそれぞれ示している。
【００２２】
次に、図１、図４、図５及び図６を用いて比較例の電子時計の動作を説明する。水晶発振器１からの発信信号ＣＫによりマイクロコンピュータ２は、まずアドレスバス（Ａ＿Ｂ
ＵＳ）、データバス（Ｄ＿ＢＵＳ）を用いて、ＬＣＤ制御回路８に通常時計表示の命令を出力する。その後ＬＣＤ制御回路８は、マイクロコンピュータ２からの制御信号を受けないで、分周信号群ＳＧを用いて、表示データＤ＿ＤＡＴＡを発生することで、ＬＣＤ表示部９には通常表示状態９１を表示させる。同様に電圧検出回路群７は、最初マイクロコンピュータ２からアドレスバス（Ａ＿ＢＵＳ）、データバス（Ｄ＿ＢＵＳ）を用いて電圧検出回路群７の切り替え制御回路７３の動作開始命令を受けるが、その後はマイクロコンピュータ２からの制御信号を受けないで、分周信号群ＳＧの１Ｈｚ信号を基準検出タイミングとして動作を継続する。
【００２３】
まず図５に示す充電領域中でＴ１まで至らない状態での動作を説明する。検出時の蓄電部６の蓄電電圧ＶＢＴは、容量不足警告電圧Ｖ２以上で過充電検出電圧Ｖ３未満である。太陽電池４には、光は照射されている為、太陽電池４からは発電電圧ＨＤが発生しているため、充電制御回路２は充電電流ＩＤが発生している。基準検出タイミングである１Ｈｚ信号により、切り替え制御回路７３は、切り替え信号ＳＬ１を“Ｈ”レベルにする。ＮチャンＴＲ１が“ＯＮ”する事でＶＤＤと蓄電電圧ＶＢＴ間には抵抗Ｒ０及びＲ１が直列抵抗となり電流が流れる。よってＶＩＮ＝ＶＢＴ×Ｒ０／（Ｒ０＋Ｒ１）の電位が発生する。ＶＢＴ＝Ｖ１となった場合に、ＶＩＮ＝ＶＲＥＦとなるように抵抗値は設定されている。但し、Ｖ１よりＶＢＴが大きい為、この時点でコンパレータ７１は“Ｌ”を出力する。
【００２４】
次に切り替え制御回路７３は、切り替え信号ＳＬ１を“Ｌ”レベルに戻し、切り替え信号ＳＬ２を“Ｈ”レベルにする。ＮチャンＴＲ２が“ＯＮ”することでＶＤＤと蓄電電圧ＶＢＴ間には抵抗Ｒ０、Ｒ１及びＲ２が直列抵抗となり電流が流れる。よってＶＩＮ＝ＶＢＴ×Ｒ０／（Ｒ０＋Ｒ１＋Ｒ２）の電位が発生する。ＶＢＴ＝Ｖ２となった場合に、ＶＩＮ＝ＶＲＥＦとなるように抵抗値は設定されている。但し、ＶＢＴはＶ２より大きい為、この時点でもコンパレータ７１は“Ｌ”を出力する。
【００２５】
更に切り替え制御回路７３は、切り替え信号ＳＬ２を“Ｌ”レベルに戻し、切り替え信号ＳＬ３を“Ｈ”レベルにする。ＮチャンＴＲ３が“ＯＮ”することでＶＤＤと蓄電電圧ＶＢＴ間には抵抗Ｒ０、Ｒ１、Ｒ２及びＲ３が直列抵抗となり電流が流れる。よってＶＩＮ＝ＶＢＴ×Ｒ０／（Ｒ０＋Ｒ１＋Ｒ２＋Ｒ３）の電位が発生する。但し、蓄電電圧ＶＢＴはＶ３より小さい為、この時点ではコンパレータ７１は“Ｈ”を出力する。その結果から、結果収納回路７４は、切り替え信号ＳＬ１，ＳＬ２，ＳＬ３及び、電圧比較結果ＣＭＰ＝“Ｌ”レベルを格納すると共に、結果収納回路７４が終了信号ＥＮＤを出力することで切り替え制御回路７３は動作を停止する。
【００２６】
続いて、比較器７６は、結果データＳＤ、前回結果データＫＤを比較し、蓄電部６の蓄電電圧ＶＢＴが容量不足警告電圧Ｖ２以上で過充電検出電圧Ｖ３未満であるため、結果データＳＤと前回結果データＫＤは同一となり、データ比較結果ＰＳＥＴが出力されない。よってリリース回路７７は、ホルトリリース信号ＨＲを出力しない。マイクロコンピュータ２はＨＡＬＴ状態を継続する。
【００２７】
次に、Ｔ１のタイミングでの動作を説明する。蓄電部６の蓄電電圧ＶＢＴは、充電によって過充電検出電圧Ｖ３をすでに超えている。前記と同様に、切り替え制御回路７３は、切り替え信号ＳＬ１，ＳＬ２，ＳＬ３を順次切り替えるが、コンパレータ７１はいずれも“Ｌ”レベルとなる。よって結果収納回路７４は、切り替え信号ＳＬ１，ＳＬ２，ＳＬ３及び、電圧比較結果ＣＭＰ＝“Ｌ”レベルを格納し、更に終了信号ＥＮＤを出力すると共に、充電禁止信号ＯＤを出力する。よって充電制御回路５は、充電電流ＩＤを停止することで、蓄電部６への充電を止める。
【００２８】
比較器７６は、結果データＳＤ、前回結果データＫＤを比較する。この時、前回結果デ
ータＫＤは切り替え信号及びコンパレータの出力は（ＳＬ１，ＳＬ２，ＳＬ３，ＣＯＭＰ）＝（Ｌ，Ｌ，Ｈ，Ｈ）、結果データＳＤの切り替え信号及びコンパレータの出力は（ＳＬ１，ＳＬ２，ＳＬ３，ＣＯＭＰ）＝（Ｌ，Ｌ，Ｈ，Ｌ）である為、比較器７６はデータ比較結果ＰＳＥＴを出力し、リリース回路７２からは、ホルトリリース信号ＨＲを出力する。よってマイクロコンピュータ２は、ホルトリリースされる。マイクロコンピュータ２はホルトリリース端子ＨＲ＿Ｍへの信号入力を確認し、リリース指示であることを確認し、その後アドレスバス（Ａ＿ＢＵＳ）、データバス（Ｄ＿ＢＵＳ）を用いて、リリース回路７７をリセットする。よって、リリース回路７７は、ホルトリリース信号ＨＲを停止する。Ｔ１、Ｔ２の間のタイミングでの結果データＳＤの切り替え信号及びコンパレータの出力は（ＳＬ１，ＳＬ２，ＳＬ３，ＣＯＭＰ）＝（Ｌ，Ｌ，Ｈ，Ｌ）であり、変化がない為説明を省く。
【００２９】
次にＴ２のタイミングでは、光の照射がない為太陽電池４から発電電圧ＨＤは発生していない。よって非充電領域に入っており、発振器１等を含めたシステムの動作消電により蓄電部６の電圧は、目減りしている。蓄電部６の蓄電電圧ＶＢＴは、過充電検出電圧Ｖ３未満、容量不足警告電圧Ｖ２以上となっている。Ｔ２のタイミングでは、前回結果回路７５の前回結果データＫＤは、切り替え信号及びコンパレータの出力は（ＳＬ１，ＳＬ２，ＳＬ３，ＣＯＭＰ）＝（Ｌ，Ｌ，Ｈ，Ｌ）であり、今回の動作により結果収納回路７４には、結果データＳＤの切り替え信号及びコンパレータの出力は（ＳＬ１，ＳＬ２，ＳＬ３，ＣＯＭＰ）＝（Ｌ，Ｌ，Ｈ，Ｈ）が格納されたため、前述と同様に、マイクロコンピュータ２は、ホルトリリースされ、引き続きアドレスバス（Ａ＿ＢＵＳ）、データバス（Ｄ＿ＢＵＳ）を用いて、リリース回路７２をリセットする。
【００３０】
Ｔ２、Ｔ３の間のタイミングでは、結果データＳＤの切り替え信号及びコンパレータの出力は（ＳＬ１，ＳＬ２，ＳＬ３，ＣＯＭＰ）＝（Ｌ，Ｌ，Ｈ，Ｈ）であり、変化がない為説明を省く。
【００３１】
更に非充電状態が継続され、蓄電部６の蓄電電圧ＶＢＴは低下し、Ｔ３タイミングに達すると、蓄電部６の蓄電電圧ＶＢＴは、容量不足警告電圧Ｖ２未満、動作停止電圧Ｖ１以上となる。よって、Ｔ３タイミングでは、前回結果回路７５の前回結果データＫＤは、切り替え信号及びコンパレータの出力は（ＳＬ１，ＳＬ２，ＳＬ３，ＣＯＭＰ）＝（Ｌ，Ｌ，Ｈ，Ｈ）であり、今回の動作により結果収納回路７４には、結果データＳＤの切り替え信号及びコンパレータの出力は（ＳＬ１，ＳＬ２，ＳＬ３，ＣＯＭＰ）＝（Ｌ，Ｈ，Ｌ，Ｈ）が格納されたため、マイクロコンピュータ２は、ホルトリリースされることで、アドレスバス（Ａ＿ＢＵＳ）、データバス（Ｄ＿ＢＵＳ）を用いてリリース回路７２をリセットすると共に、ＬＣＤ制御回路８に電池電圧警告表示命令を出力する。よってＬＣＤ制御回路８は、ＬＣＤ表示部９を図６に示す通常表示状態９１から充電警告表示状態９２に切り替える。
【００３２】
Ｔ３、Ｔ４の間のタイミングでは、結果データＳＤの切り替え信号及びコンパレータの出力は（ＳＬ１，ＳＬ２，ＳＬ３，ＣＯＭＰ）＝（Ｌ，Ｈ，Ｌ，Ｈ）であり、変化がない為説明を省く。
【００３３】
次に蓄電部６の蓄電電圧ＶＢＴは更に低下し、Ｔ４タイミングに達すると、蓄電部６の蓄電電圧ＶＢＴは、動作停止電圧Ｖ１未満となる。よって、Ｔ４タイミングでは、前回結果回路７５の前回結果データＫＤは、切り替え信号及びコンパレータの出力が（ＳＬ１，ＳＬ２，ＳＬ３，ＣＯＭＰ）＝（Ｌ，Ｈ，Ｌ，Ｈ）であり、今回の動作により結果収納回路７４には、結果データＳＤの切り替え信号及びコンパレータの出力（ＳＬ１，ＳＬ２，ＳＬ３，ＣＯＭＰ）＝（Ｈ，Ｌ，Ｌ，Ｈ）が格納されたため、マイクロコンピュータ２は、ホルトリリースされることで、アドレスバス（Ａ＿ＢＵＳ）、データバス（Ｄ＿ＢＵＳ
）を用いて、リリース回路７７をリセットすると共に節電のためにＬＣＤ制御回路８に表示停止命令を出力する。よってＬＣＤ制御回路８は、ＬＣＤ表示部９を図６充電警告表示状態９２から消灯状態９３に切り替える。
【００３４】
以上が比較例におけるローパワーマイコンを搭載した電子時計の動作である。上記比較例によると、電圧検出回路群７で検出したすべての電圧変化点でマイクロコンピュータ２をホルトリリースすることになるため、ＬＣＤ表示部９の表示状態を変更する必要のないタイミングＴ１、Ｔ２においても不必要にマイクロコンピュータ２をホルトリリースすることなり、必ずしも十分な節電ができない状態となっていた。
【００３５】
次に本発明の一実施形態である電子時計を図面に基づいて説明する。比較例と同様に、本実施形態においても、電子時計の電池電圧検出技術を例にして説明する。図１はローパワーマイクロコンピュータを使用した電子時計の回路構成であり、この基本構成は比較例と同じなので、その説明は省略する。
図２は、本実施形態における電圧検出回路群７であり、まずは比較例と異なる構成のみを説明する。７０１は時間間隔制御回路であり、分周信号群ＳＧ、及びマイクロコンピュータ２のアドレスバス（Ａ＿ＢＵＳ）、データバス（Ｄ＿ＢＵＳ）に接続され、時間間隔信号ＴＭを出力する。時間間隔制御回路７０１は、マイクロコンピュータ２を介して時間間隔信号ＴＭの出力間隔が設定されるように構成されている。７０２は比較ランク設定回路であり、マイクロコンピュータ２のアドレスバス（Ａ＿ＢＵＳ）、データバス（Ｄ＿ＢＵＳ）の命令と、切り替え信号ＳＬ１〜ＳＬ３を入力し、比較許可信号ＨＥＮを出力する。７０３は、前回状態収納回路であり、切り替え信号ＳＬ１〜ＳＬ３及び、電圧比較結果ＣＯＭＰを入力し、前回電圧比較結果ＺＣＯＭＰを出力する。７０４は比較器（２）であり、電圧比較結果ＣＯＭＰ、前回電圧比較結果ＺＣＯＭＰ及び前記比較許可信号ＨＥＮが入力され、ホルトリリースセット信号ＳＥＴを出力する。７７はリリース回路であり、データ比較結果信号ＳＥＴと、マイクロコンピュータ２のアドレスバスＡ＿ＢＵＳ、データバスＤ＿ＢＵＳを入力し、ホルトリリース信号ＨＲを出力する。この電圧検出回路群７は本発明の検出部に対応し、比較ランク設定回路７０２が本発明の処理要求信号設定部に対応する。
【００３６】
次に、本実施形態の動作を説明する。マイクロコンピュータ２はアドレスバス（Ａ＿ＢＵＳ）、データバス（Ｄ＿ＢＵＳ）を介し、比較ランク設定回路７０２に対して、ＳＬ１とＳＬ２が発生した時は、比較許可信号ＨＥＮを出力し、ＳＬ３が発生した時は比較許可信号ＨＥＮを出力しないように設定する。その後マイクロコンピュータ２はアドレスバス（Ａ＿ＢＵＳ）、データバス（Ｄ＿ＢＵＳ）を介し、時間間隔制御回路７０１に１Ｈｚの時間間隔信号ＴＭを出力するように設定する。これにより、時間間隔信号ＴＭが１Ｈｚ間隔で出力され、それによって切り替え制御回路７３が１Ｈｚ間隔で動作するようにしている。設定終了後マイクロコンピュータ２は、ホルト状態に移行する。
【００３７】
次に図３を用いて蓄電部６の蓄電電圧ＶＢＴ変化に伴う本実施形態の動作を説明する。図３においてＴ１に至るまで、蓄電電圧ＶＢＴは、容量不足警告電圧Ｖ２以上であるが、過充電検出電圧Ｖ３をまだ検出していない状態である。時間間隔信号ＴＭが来ると、切り替え制御回路７３は、先ず切り替え信号ＳＬ１を出力する。そして、コンパレータ７１は動作停止電圧Ｖ１と蓄電電圧ＶＢＴとを比較する。この時、蓄電電圧ＶＢＴは動作停止電圧Ｖ１を越しているので、コンパレータ７１の電圧比較結果ＣＭＰは、“Ｌ”レベルを出力する。そのとき、前回の電圧値との間で変化がなかったため、前回状態収納回路７０３から出力される前回電圧比較結果ＺＣＭＰも“Ｌ”レベルを出力する。比較ランク設定回路７０２は、切り替え信号ＳＬ１が出力されると、比較許可信号ＨＥＮを出力する。よって比較器７０４は、電圧比較結果ＣＭＰと前回電圧比較結果ＺＣＭＰを比較するが、結果が同一であるため、ホルトリリースセット信号ＳＥＴは出力されない。
【００３８】
次に切り替え信号ＳＬ２に切り替えるが、同様に蓄電電圧ＶＢＴは容量不足警告電圧Ｖ２を越しているので、コンパレータ７１の電圧比較結果ＣＭＰは、“Ｌ”レベルを出力する。このときも、前回の電圧値との間に変化がなかったため、前回状態収納回路７０３から出力される前回電圧比較結果ＺＣＭＰも“Ｌ”レベルを出力する。比較ランク設定回路７０２は、切り替え信号ＳＬ２が出力されると、比較許可信号ＨＥＮを出力する。よって比較器７０４は、電圧比較結果ＣＭＰと前回電圧比較結果ＺＣＭＰを比較するが、結果が同一であるため、ホルトリリースセット信号ＳＥＴは、出力されない。
【００３９】
更に、切り替え制御回路７３は切り替え信号ＳＬ３を出力する。この時、蓄電電圧ＶＢＴは過充電検出電圧Ｖ３を越えていないので、コンパレータ７１の電圧比較結果ＣＭＰは、“Ｈ”レベルを出力する。又、前回の電圧値との間に変化がなかったため、前回状態収納回路７０３から出力される前回電圧比較結果ＺＣＭＰからも“Ｈ”レベルが出力される。比較ランク設定回路７０２には、切り替え信号ＳＬ３が出力されると、比較許可信号ＨＥＮが出力されないので、比較器（２）７０４は電圧比較結果ＣＭＰと前回電圧比較結果ＺＣＭＰの比較動作を実行しないように制御されるので、ホルトリリースセット信号ＳＥＴは出力されない。
【００４０】
次に時間Ｔ１に至ると、既に蓄電部６の蓄電電圧ＶＢＴは過充電検出電圧Ｖ３を上回っている。切り替え信号ＳＬ１、ＳＬ２が出力された場合は、前述と結果が同じであり、動作的変化が無いので説明を省く。
【００４１】
切り替え信号ＳＬ３が出力されると、コンパレータ７１の電圧比較結果ＣＭＰは、“Ｌ”レベルを出力する。前回状態格納回路７０３からは、前回電圧比較結果ＺＣＭＰからは“Ｈ” レベルを出力されため、データが異なるので、本来ならば、比較器（２）７０４からはホルトリリースセット信号ＳＥＴが出力されることになるが、比較ランク設定回路７０２は切り替え信号ＳＬ３が出力されると比較許可信号ＨＥＮを出力しないので、比較器（２）７０４からはホルトリリースセット信号ＳＥＴが出力されず、それによりリリース回路７７からはリリース信号ＨＲは出力されない。
【００４２】
つまり、過充電検出電圧Ｖ３を検出したとしても、動作する必要のないマイクロコンピュータ２を停止したままの状態に制御できる。
【００４３】
なお、コンパレータ７１の電圧比較結果ＣＭＰは、“Ｌ”レベルを出力するので、結果収納回路７４からは充電禁止信号ＯＤが出力され、充電制御回路５の動作を停止して、蓄電部６への充電動作を停止させている。
【００４４】
同様に、時間Ｔ２の時点でも同じであり、時間Ｔ２では既に蓄電部２の電圧は過充電電圧Ｖ３未満になり、検出電圧の変化があるものの、比較ランク設定回路７０２にはＳＬ３に対する比較許可指定がない為、比較許可信号ＨＥＮが出力されていない。その事からホルトリリースセット信号ＳＥＴも出力されない。
【００４５】
更に、蓄電部２の電圧が低下し、時間Ｔ３に達すると、既に容量不足警告電圧Ｖ２と動作停止電圧Ｖ１との間に達する。この時点では、切り替え信号ＳＬ２が発生した時点で、今までとは異なる動作が発生する。
【００４６】
切り替え信号ＳＬ２に切り替わると、コンパレータ７１の電圧比較結果ＣＭＰは、“Ｈ”レベルを出力する。又、前回状態収納回路７０３の、前回電圧比較結果ＺＣＭＰからは“Ｌ” レベルを出力される。又、比較ランク設定回路７０２は切り替え信号ＳＬ２が出力されると、比較許可信号ＨＥＮを出力するため、比較器７０４は、電圧比較結果ＣＭＰ
と前回電圧比較結果ＺＣＭＰを比較し、その結果が異なるので、ホルトリリースセット信号ＳＥＴを出力する。
【００４７】
これによりマイクロコンピュータ２は、ホルトリリースされることで、アドレスバス（Ａ＿ＢＵＳ）、データバス（Ｄ＿ＢＵＳ）を用いてリリース回路７２をリセットすると共に、ＬＣＤ制御回路８に電池電圧警告表示命令を出力する。よってＬＣＤ制御回路８は、ＬＣＤ表示部９を図６に示す通常表示状態９１から充電警告表示状態９２に切り替える。
【００４８】
又、時間Ｔ４でもＴ３と同様な動作である。蓄電部６の電圧が低下して、時間Ｔ４に達すると、既に動作停止電圧Ｖ１未満となり、切り替え信号ＳＬ１が発生した時点で、コンパレータ７１の電圧比較結果ＣＭＰは、“Ｈ”レベルを出力する。又、前回状態収納回路７０３の前回電圧比較結果ＺＣＭＰからは“Ｌ”レベルが出力される。又、比較ランク設定回路７０２は切り替え信号ＳＬ１が出力されると、比較許可信号ＨＥＮを出力するため、比較器７０４は、電圧比較結果ＣＭＰと前回電圧比較結果ＺＣＭＰを比較し、その結果が異なるので、ホルトリリースセット信号ＳＥＴが出力される。
【００４９】
マイクロコンピュータ２は、ホルトリリースされることで、アドレスバス（Ａ＿ＢＵＳ）、データバス（Ｄ＿ＢＵＳ）を用いて、リリース回路７７をリセットすると共に節電のためにＬＣＤ制御回路８に表示停止命令を出力する。よってＬＣＤ制御回路８は、ＬＣＤ表示部９を図６充電警告表示状態９２から消灯状態９３に切り替える。
【００５０】
本実施形態においては、検出部として蓄電部６の電圧検出回路を説明してきたが、本発明はこれに限定されるものではなく、レギュレータ等の電位に伴う構成にしたり、太陽電池の電圧検出或いは発電電流検出回路としたり、センサを伴ったＡ／Ｄ変換器を伴った検出データ値に対し、上記発明にて構築してもかまわない。
【００５１】
また本発明においては、比較ランク設定回路は、マイクロコンピュータによるアドレスバス（Ａ＿ＢＵＳ）、データバス（Ｄ＿ＢＵＳ）にてデータ設定が行われたが、マイクロコンピュータの介在しない、マスクROMや、不揮発性メモリで構成しても良い。
【００５２】
本発明において、全システムは、複数のチップで構成しても、１チップで構成してもかまわない。
【００５３】
以上の説明で明らかなように、複数の電位関係等を伴った回路において、必要に応じた条件のみ、ホルトリリースすることで、むやみにマイクロコンピュータがリリースされることがないため、消費電力を極めて低くした電子時計を提供出来る。
【図面の簡単な説明】
【００５４】
【図１】比較例と本発明の一実施形態である電子時計の回路構成図である。
【図２】本発明の一実施形態である電子時計の電圧検出回路群の構成図である。
【図３】本発明の一実施形態である電子時計の蓄電部の電圧遷移とマイクロコンピュータの動作との関係を説明する説明図である。
【図４】比較例の電圧検出回路群の構成図である。
【図５】比較例の蓄電部の電圧遷移とマイクロコンピュータの動作との関係を説明する説明図である。
【図６】ＬＣＤ表示部の表示状態を示す説明図である。
【符号の説明】
【００５５】
２      マイクロコンピュータ
７      電圧検出回路群
７０１  時間間隔制御手段
７０２  比較ランク設定回路
７０３  前回状態収納回路
７７    リリース回路
【図１】
2009236547.tif 000003
【図２】
2009236547.tif 000004
【図３】
2009236547.tif 000005
【図４】
2009236547.tif 000006
【図５】
2009236547.tif 000007
【図６】
2009236547.tif 000008